(57)【特許請求の範囲】
【請求項１】
印字面と反対側に貼着用の接着層を有するライナレスラベルに印字を行なうラベルプリンタにおいて、
前記ライナレスラベルの接着層をベルト表面に接着し搬送する搬送ベルトと、
前記ライナレスラベルに印字する印字ヘッドと、
前記印字ヘッドと対向し、前記搬送ベルトの前記ライナレスラベルを搬送する上流側と下流側との搬送区間内に凹部を設け、該凹部に配置させたプラテンローラと、を備え、
前記搬送ベルトと、前記プラテンローラの回転により、前記ライナレスラベルを搬送することを特徴とするラベルプリンタ。
【請求項２】
前記プラテンローラは、前記搬送ベルトを搬送面に対し略Ｕ字状に掛け回して形成した前記凹部に収容配置されていることを特徴とする請求項１記載のラベルプリンタ。
【請求項３】
前記印字ヘッドは、前記ライナレスラベルに印字を行なう時、前記ライナレスラベルを前記プラテンローラ表面へ押圧して印字を行ない、印字を行なわない時には、前記搬送中のライナレスラベルと当接しない位置に離間することを特徴とする請求項１又は２記載のラベルプリンタ。
【請求項４】
前記搬送ベルトによるライナレスラベルの搬送方向に対し前記プラテンローラより上流側近傍位置に、搬送ベルト表面に接着されたライナレスラベルを該搬送ベルト表面から剥離する剥離部材が配置されていることを特徴とする請求項１乃至３の何れか１項記載のラベルプリンタ。
【請求項５】
印字面と反対側に貼着用の接着層を有するライナレスラベルに印字を行なうラベルプリンタと、搬送される商品に前記印字されたラベルを貼付する貼付部とからなるラベル貼付装置において、
前記ラベルプリンタは、
前記ライナレスラベルの接着層をベルト表面に接着し搬送する搬送ベルトと、
前記ライナレスラベルに印字する印字ヘッドと、
前記印字ヘッドと対向し、前記搬送ベルトの前記ライナレスラベルを搬送する上流側と下流側との搬送区間内に凹部を設け、該凹部に配置させたプラテンローラと、を備え、
前記貼付部は、前記搬送される商品の上面から側面を通って商品本体の底面に亘り略コの字状に前記ライナレスラベルを貼付する機構を備え、
前記ラベルプリンタは、前記搬送ベルトと、前記プラテンローラの回転により、前記搬送される商品と直交する方向に前記ライナレスラベルを垂下搬送し、前記貼付部は、前記垂下搬送されたラベルを前記商品に略コの字状に貼付することを特徴とするラベル貼付装置。
【請求項６】
前記ラベルプリンタは、
前記印字面と反対側に貼着用の接着層を有するライナレスラベルを巻回したラベルテープロールからラベルテープを引き出す引き出し部と、
前記引き出したラベルテープを短冊状のライナレスラベルに切断するカッター部と、
前記短冊状に切断したライナレスラベルを前記搬送ベルトへ移送する移送部と、を更に備え、
前記移送部は、無端回動するベルト同士のベルト間に前記短冊状に切断されたライナレスラベルが挟持されるように対向配置させ、該対向配置させた一対のベルトを水平方向に無端回動させ、前記搬送ベルトの搬送方向始端側で前記挟持搬送する短冊状のライナレスラベルを移送方向と直交する方向に解放することを特徴とする請求項５に記載のラベル貼付装置。
【発明の詳細な説明】
【技術分野】
【０００１】
本発明は、ラベル用紙として印字面と反対側の面に貼着用の接着層が形成されたライナレスラベル（台紙レスラベル）を使用するラベルプリンタ及びラベル貼付装置に関する。
【背景技術】
【０００２】
従来のライナレスラベルに印字を行なうラベルプリンタは、ラベルの搬送及びラベルに印字を行なう場合、ライナレスラベルの片面（印字面と反対側の面）に形成された貼着用の接着層（糊面）が原因でプラテンローラにライナレスラベルが巻き込まれるのを防止する為に、前記プラテンローラを非粘着素材で形成、或いはローラの表面を非粘着処理（例えば、積層、コーティング等）している（例えば、特許文献１参照）。
しかし、プラテンローラが非粘着性であるため、ラベルを搬送するためのグリップ力（送り出す力）が弱いという欠点がある。
【０００３】
そして、プラテンローラのラベルをグリップする力が弱く（不安定に）なると、ラベルの搬送速度にバラツキが生じ、それにより印字状態に伸縮が生じ、印字不良が発生することになる。
【０００４】
また、従来のプリンタは、前記プラテンローラの回転駆動によってライナレスラベルをラベル排出方向へ搬送しラベルを発行する構造であるため、プラテンローラは常時ライナレスラベルを、接着層を介して印字ヘッドに押し付けているため、プラテンローラが塑性変形し、結果、印字不良を招き、素材物性上好ましい状態とは言えないものであった。
【先行技術文献】
【特許文献】
【０００５】
【特許文献１】特開平８−２４４２６０号公報
【発明の概要】
【発明が解決しようとする課題】
【０００６】
上記従来の技術が有する問題点に鑑みてなされたもので、印字時にライナレスラベルの片面に設けられた接着層により生じる印字不良を防止し、高精度の印字が可能なラベルプリンタ及びラベル貼付装置を提供することにある。
【課題を解決するための手段】
【０００７】
上記課題を達成するために本発明のラベルプリンタは、印字面と反対側に貼着用の接着層を有するライナレスラベルに印字を行なうラベルプリンタにおいて、前記ライナレスラベルの接着層をベルト表面に接着し搬送する搬送ベルトと、前記ライナレスラベルに印字する印字ヘッドと、前記印字ヘッドと対向し、前記搬送ベルトの前記ライナレスラベルを搬送する上流側と下流側との搬送区間内に凹部を設け、該凹部に配置させたプラテンローラと、を備え、前記搬送ベルトと、前記プラテンローラの回転により、前記ライナレスラベルを搬送することを特徴とする。
【０００８】
前記ライナレスラベルの印字面と反対側に形成される貼着用の接着層は、ラベルの全面に形成、或いは一部（例えば、帯状、ドット状等）に形成するなど何れでもよい。
また、前記ライナレスラベルを接着搬送する搬送ベルトは、ライナレスラベルの横幅と略同じ幅を有する１本のベルトで形成、或いは細幅のベルトを複数本、平行に並べて形成するなど何れでもよい。
【０００９】
上記手段によれば、ライナレスラベルはプラテンローラを挟んで上流側と下流側にラベルを接着搬送する搬送ベルトが配置されているため、プラテンローラにライナレスラベルの接着層を接触させても、ライナレスラベルをプラテンローラに巻きつかせることなく印字して搬送することができる。そして、前記プラテンローラはラベル印字時の印字用ベース（下敷き）として組み付けられ回転するので、該プラテンローラのスリップを無くし、高精度の印字を行なうことができる。
【００１０】
前記搬送ベルトはプラテンローラを挟んで上流側と下流側に配置されるが、その上流側と下流側の搬送ベルトは一本のベルトで連続して構成、或いは上流側と下流側を完全に分離独立した別々のベルトで構成するなど何れでもよい。一本のベルトで連続構成する具体例としては、例えば、前記搬送ベルトによるラベルの搬送領域の一部を略Ｕ字状に走行案内させて凹部を形成し、その凹部に前記プラテンローラを収容配置する。
【００１１】
上記手段によれば、プラテンローラを挟む上流側と下流側の搬送ベルトは連続一本ものであるから、上流側と下流側でラベルの搬送速度を同じに確保できる。従って、ラベルの搬送速度にバラつきが生じることはなく、高精度の印字を行なうことができる。
【００１２】
また、前記プラテンローラにライナレスラベルを介して圧接される印字ヘッドは、常時プラテンローラ側に圧接されていてもよいが、ラベルに印字する時のみライナレスラベルをプラテンローラ表面に押圧し、印字を行なわない時には、搬送中のライナレスラベルと当接しない位置に離間するようにしてもよい。
【００１３】
上記構成とした場合、印字ヘッドは印字の時のみラベルを介してプラテンローラに押圧されるので、プラテンローラのゴム素材の塑性変形を防止でき、長期に亘って当初の物性を維持でき、安定した印字を可能にする。
また、印字ヘッドが常時接触した場合、印字後の予熱により、ラベルの搬送方向に亘って貼着用の接着層が加熱され、それにより該接着層の接着強度が変化し（接着力が強くなり）、ラベル搬送不良が生じるが、前記構成によりラベル搬送不良を減少させることができる。
【００１５】
また、前記ラベル押えは、前記搬送ベルトの搬送方向始端側に、前記ライナレスラベルの接着層をベルト表面に圧着する第１ラベル押えと、前記搬送ベルトの搬送方向終端側で、前記プラテンローラより繰り出されたライナレスラベルを前記搬送ベルトの表面に圧着させて排出方向へ送出する第２ラベル押えとで構成し、前記第２ラベル押えは、前記搬送ベルトの表面に接着されて排出されるライナレスラベルを搬送ベルト側に押し付ける働きを有するが、更に、左右方向に回動可能（首振り可能）に取り付けてもよい。
前記構成とした場合、例えば、第２ラベル押えを左方向に回動すると、排出されるライナレスラベルは右方向に傾き、第２ラベル押えを右方向に回動すると、排出されるライナレスラベルは左方向に傾いて排出される。即ち、排出されるライナレスラベルに傾き（斜行）が発生した場合、前記第２ラベル押えを回動調整することで、排出の姿勢を修正することができる。
【００１６】
前記搬送ベルトとプラテンローラの等速回転は、夫々別々の動力源を同期させて等速回転させてもよいが、単一の動力源と等速の動力伝達機構、例えば、歯車列により等速回転させてもよい。その場合は、等速回転を単一の動力源によって簡単に構成することができる。
【００１７】
また、前記搬送ベルトによるライナレスラベルの搬送方向に対しプラテンローラより上流側近傍位置に、搬送ベルト表面に接着されたライナレスラベルを該搬送ベルト表面から剥離する剥離部材を配置してもよい。その剥離部材の具体例としては、例えば、前記搬送ベルトを略Ｕ字状の走行案内する案内ローラの外周面に、搬送ベルト表面より外方に突出する円板（フランジ）を固着して形成する。
前記構成により、ライナレスラベルを搬送ベルトからプラテンローラに確実に移載でき、安定した印字を行うことができる。
【００１８】
また、本発明のラベルプリンタは搬送ベルトを水平に配置した横型のプリンタでもよいが、前記搬送ベルトを、搬送方向始端側を鉛直方向上側に、搬送方向終端側を鉛直方向下側に向けて配置し、ラベルを垂直下方に向けて搬送する縦型のプリンタとしてもよい。
その場合、本プリンタに供給するラベルは、搬送ベルトの搬送方向に沿って同方向から供給してもよいが、該搬送ベルトの搬送方向と交叉する方向、例えば、直角に交叉する左右方向から供給するようにしてもよい。
又、ラベルが貼付される商品を該ラベルの搬送方向に対し直角に交叉する水平に搬送することで、商品上面へのラベル貼付は勿論、縦長の短冊状のラベルを商品の上面から底面に亘ってコの字状に容易に貼付することが可能となる。
【発明の効果】
【００１９】
本発明は、ライナレスラベルを、印字ヘッドとプラテンローラからなる印字部へ安定して搬送供給でき、且つ印字後のライナレスラベルを安定して排出できるため、ライナレスラベルの接着層によって生じる印字不良を防止でき、高精度の印字が可能なラベルプリンタ及びラベル貼付装置を提供することができる。
【図面の簡単な説明】
【００２０】
【図１】本発明に係るラベルプリンタを組み込んだラベル貼付装置の概略を示し、（ａ）は平面図、（ｂ）は同正面図。
【図２】ラベルプリンタの概略を示し、（ａ）は縦断正面図、（ｂ）は同側面図。
【図３】上側のラベル押えの動作を示す説明図で、（ａ）はライナレスラベルを搬送ベルトに圧着した状態、（ｂ）はラベル押えの圧着を開放した状態。
【図４】下側のラベル押えの構成及び作用を示し、（ａ）は取り付け状態を示す正面図、（ｂ），（ｃ）は同ラベル押えを回動調整した後のラベルの繰出し状態を示す説明図。
【図５】ラベルプリンタにラベルを供給するラベル搬送手段を示し、（ａ）は平面図、（ｂ）は一部切欠正面図。
【図６】ラベルプリンタから排出されたラベルの貼付動作を示す説明図。
【図７】（ａ）は印字済みラベルの正面図、（ｂ）はラベルの貼付状態を示す斜視図。
【発明を実施するための形態】
【００２１】
以下、本発明に係るラベルプリンタの実施の形態の一例を、ラベル貼付装置について図面に基づき説明する。
図１は、ラベル貼付装置Ａの概略を示す全体模式図で、基台１上に、ライナレスラベルＬ（以下、単に「ラベル」という）に所定事項を印字するラベルプリンタＡ１が配置されそのラベルプリンタＡ１の下方に商品Ｗを搬送する搬送手段Ｂが水平に設置され、搬送手段Ｂで搬送される商品ＷにラベルＬを略コの字状に貼付し得るように構成されている。
商品Ｗは、容器本体の一側に蓋体が開閉可能に連接された蓋付きのトレイで、ラベルＬは前記蓋付きトレイの蓋上面から容器側面を通って容器本体の底面に亘って略コの字状に貼付し得る縦長の短冊状をなしている。
【００２２】
ラベルプリンタＡ１は、ラベルＬを接着搬送する搬送ベルト２と、その搬送ベルト２の搬送区間中程に配置したプラテンローラ３と、該プラテンローラ３と対向して配置した印字ヘッド（サーマルヘッド）４と、前記搬送ベルト２の搬送方向始端側に第１ラベル押え５が、搬送方向終端側に第２ラベル押え６が配置されて構成されている。
【００２３】
具体的には、図２に示すように、器枠７内に、ラベルＬを接着搬送する搬送ベルト２を２本、幅方向に間隔をおいて平行に配置し、その搬送ベルト２の直線搬送区間の中程は、該搬送ベルト２の搬送面を後側方向（器枠の内部方向）へ略Ｕ字状に窪ませ、そのＵ字状の凹部８にプラテンローラ３が配置されている。
前記搬送ベルト２は、器枠７の一側辺の上下両側部に配置した案内ローラ９ａ，９ｂと、前記案内ローラ９ａ，９ｂの間で且つ該器枠７の一側辺より器枠内に配置した駆動軸１０と、該駆動軸１０の軸径と略同じ間隔をおいて前記案内ローラ９ａ，９ｂを結ぶライン上に配置した案内ローラ９ｃ，９ｄに亘って掛け回されている。そして、前記搬送ベルト２を案内ローラ９ｃ、駆動軸１０、案内ローラ９ｄに掛け回すことで、該搬送ベルト２で前記Ｕ字状の凹部８が形成されている。
【００２４】
前記駆動軸１０は駆動モータ１１の出力軸とベルト１２で連結され、更に該ベルト１２にはエンコーダ１３が接触配置されて、搬送ベルト２の速度が測定されている。この搬送ベルト２の速度を測定することによってラベルＬに対する印字タイミングを制御できるように構成されている。
【００２５】
凹部８に収容配置されるプラテンローラ３の表面は、搬送ベルト２の表面と略面一に支持され、ラベルＬを安定して搬送し得るように構成されている。
そして、前記プラテンローラ３は前記搬送ベルト２と等速回転するよう、搬送ベルト２を駆動回転させる駆動軸１０と該プラテンローラ３の軸３’とが、夫々の軸端部に固着した等速歯車列１４で連結されている。即ち、搬送ベルト２とプラテンローラ３は一つの駆動モータ１１で駆動するように構成されている。
また、前記プラテンローラ３は軸３’の外側にゴム筒等の弾性筒が一体的に嵌着固定されており、ラベルＬ表面に当接される印字ヘッド４を弾性的に支持し得るようになっている。
【００２６】
また、前記プラテンローラ３を収容する凹部８を形成する上流側の案内ローラ９ｃの周面には、該案内ローラ９ｃに巻き掛けられる搬送ベルト２に接着されたラベルＬを該搬送ベルト２の表面より剥離する剥離部材１５が取り付けられている。
前記剥離部材１５は、案内ローラ９ｃの半径に搬送ベルト２のベルト厚さを加えた半径より大径の円板で、円板の外周面に山形の歯が形成された歯付円板で構成されている。そして、歯付円板の剥離部材１５は搬送ベルト２を挟む位置に配置されている。それにより、剥離部材１５はラベルＬを搬送ベルト２表面から浮き上がらせて剥離する働きの他に、搬送ベルト２が案内軸９ｃ上で軸方向に移動（蛇行）するのを規制する働きを有する。
【００２７】
前記搬送ベルト２は、ラベルＬを接着保持する表面に歯部が周方向に沿い一定間隔で突出形成されたタイミングベルトで形成されている。それにより、ラベルＬの接着層２０と適度に接着してラベルＬを搬送し、印字後、搬送ベルト２からの剥離もスムーズに行われる。
【００２８】
前記印字ヘッド４は、サーマルヘッドで構成され、前記搬送ベルト２のラベル搬送面と対向する位置に配置した揺動アーム（図示省略）に取り付けられている。又、印字ヘッド（サーマルヘッド）３の前面（ラベルＬの印字面と対向する面）にはインクリボン１６が該印字ヘッド４前面を経由して巻取り可能に配置されている。そして、前記印字ヘッド４はラベルＬに印字する時のみ前記ラベルＬの印字面に押圧接触され、印字時以外はラベルＬ表面から離間して保持される。尚、プラテンローラ３と印字ヘッド４との間には１ｍｍ〜１．５ｍｍの隙間が設けられている。
【００２９】
搬送ベルト２の搬送方向始端部側（図面では上側）に配置される第１ラベル押え５は、搬送ベルト２の始端部に供給されたラベルＬを該搬送ベルト２の表面に圧着して、ラベルＬを搬送ベルトの回動によって搬送方向下流側の印字部に搬送するもので、搬送ベルト２と対応させて２個並列配置されている。
また、第１ラベル押え５は、ラベルＬの供給にあわせて開閉作動するように構成されている。図示の実施の形態は、ラベルＬを、搬送ベルト２の搬送方向（上下方向）に対して略直角に交叉する水平方向（横方向）に配置したラベル供給装置Ａ２から供給する例を示しており、前記第１ラベル押え５はラベル供給装置Ａ２からのラベル受け渡しに連係して作動するように構成されている。
【００３０】
以下、ラベル供給装置Ａ２を図面に基づいて簡単に説明する。
ラベルプリンタＡ１に供給されるラベルＬは、図７（ａ）に示すように、縦長の短冊状をしたライナレスラベルで構成され、印字面とは反対側の面には粘着剤を塗布した接着層２０が、長手方向の両側部と中間部２箇所の合計４箇所に形成されている。
そして、前記ラベルＬは縦長のラベル長のテープ幅を有するライナレスラベルテープの長手方向に沿いラベル一枚分の模様等が事前印刷によって一定間隔で並列形成され、該テープからカッターによって枚葉状に１枚ずつ切断形成され、その切断形成したラベルＬをラベル供給装置Ａ２でラベルプリンタＡ１に送り込み、ラベルＬに所定事項を印字して前記貼付部に送り出される。
【００３１】
ラベル供給装置Ａ２は、図１（ａ）に示すように、ライナレスラベルテープロールＬ’を回転可能に支持するロール支持部２１と、そのロール支持部２１に支持されたライナレスラベルテープロールＬ’からテープＬ’ａを引き出すテープ引き出し部２２と、引き出したテープＬ’ａから枚葉状のラベルＬを切断形成するカッター２３と、その切断されたラベルＬをラベルプリンタＡ１の搬送ベルト２に受け渡すラベル搬送手段２４とを備える。
【００３２】
ラベル搬送手段２４は、図５に示すように、短冊形状のラベルＬを垂直下方に垂れ下げた状態で搬送するもので、無端回動するタイミングベルトで構成された駆動側ベルト２５と、無端回動するタイミングベルトで構成された従動側ベルト２６の歯部（突部）を噛み合うように対向配置した一対の搬送部が二組、鉛直方向に間隔をおいて上下配置されて構成されている。
前記二組の搬送部の間隔は、ラベルＬの裏面に形成される接着層２０の上側２本（上端側と中間部の１本）の間隔に対応しており、それにより前記カッター２３で切断されるラベルＬが駆動側ベルト２５ａに仮着されるようになっている。
【００３３】
前記二組の駆動側ベルト２５（２５ａ，２５ａ’）は、支持フレーム２７に所定間隔をおいて配置した駆動ローラ２８とテールローラ２９とに亘り、歯部を外側に向けてタイミングベルトが掛け回して構成されている。そして、前記駆動ローラ２８は搬送方向始端側に配置し、且つ該駆動ローラ２８の外径は他方のテールローラ２９の外径より大径に形成されている。
前記上側の駆動側ベルト２５ａと対向配置される上側の従動側ベルト２６ｂは、固定の支持フレーム２７’に前記駆動側ベルト２５ａの機長より短い間隔をおいて配置した一対のテールローラ３０，３１間に亘り歯部を外側に向けてタイミングベルトが掛け回されて構成されている。そして、上側の駆動側ベルト２５ａと対向する上側の従動側ベルト２６ｂの始端部は、前記駆動側ベルト２５ａの始端部（駆動ローラ２８の位置）より下流側にずらして配置され、終端部は駆動側ベルト２５ａの終端部より下流側に僅かずらして配置されている。
【００３４】
また、下側の駆動側ベルト２５ａ’と対向する下側の従動側ベルト２６ｂ’は、前記支持フレーム２７’に、前記上側の従動側ベルト２６ｂの機長の略半分の長さ（間隔）をおいて配置した一対のテールローラ３０’、３１’間に亘り、歯部を外側に向けてタイミングベルトが掛け回されて構成されている。そして、該従動側ベルト２６ｂ’の始端部は、前記上側の従動側ベルト２６ｂの始端部と同じ位置に配置し、終端部は駆動側ベルト２５ａ’の機長の略中間位置に位置させる。下側の従動側ベルト２６ｂ’の機長を上側の従動側ベルト２６ｂの機長に対して約半分の長さとした理由は、ラベル搬送手段２４の搬送方向に対し略直角に交叉させて垂直下方へ配置されるラベルプリンタＡ１へのラベルＬの受け渡しを安定してスムーズに行うことができるようにするためである。
【００３５】
その為に、前記駆動側ベルト２５（２５ａ，２５ａ’）は、支持フレーム２７が搬送方向始端側の大径な駆動ローラ２８の軸芯を中心として前後方向に開閉可能に構成され、該駆動側ベルト２５（２５ａ，２５ａ’）が開動して固定の従動側ベルト２６（２６ｂ，２６ｂ’）から離間することでそれまで歯部間に挟持されていたラベルＬが開放され、ラベルプリンタＡ１に受け渡される。
【００３６】
また、前記従動側ベルト２６（２６ｂ，２６ｂ’）のうち、機長の長い上側の従動側ベルト２６ｂには、その機長のほぼ中程にタイミングベルトの歯部面（ラベル挟持面）を対向する駆動側ベルト２５ａの歯部面（ラベル挟持面）側に押し付ける押圧ローラ３２が設けられている。押圧ローラ３２の設置個数は図示例の１個に限らず、複数個でもよい。
そして、前記二組の駆動側ベルト２５（２５ａ，２５ａ’）と従動側ベルト２６（２６ｂ，２６ｂ’）は、図５に示すように、タイミングベルトの歯部が噛み合うことで、従動側ベルト２６（２６ｂ，２６ｂ’）は従動回転され、歯部間に挟持したラベルＬを垂直下方に下げたまま搬送方向（水平方向）に向けて搬送することができる。また、両ベルト２５（２５ａ，２５ａ’）、２６（２６ｂ，２６ｂ’）の歯部間に挟まれたラベルＬは歯部の噛み合いによってぎざぎざ波形に挟持される（図５（ａ）参照）。それにより、搬送中の振動、或いはベルト面に対する接触抵抗のバラツキ等があっても、挟持したラベルの向き、姿勢が変化せず、安定して次工程に送ることができる。尚、ラベル搬送手段２４で水平搬送される短冊形状のラベルＬは、下側２本の接着層２０を露出したまま搬送され、前記したラベルプリンタＡ１の搬送ベルト２に受け渡された時、該下側２本の接着層２０が搬送ベルト２に接着されるようになっている。そして、この受け渡されるラベルＬを搬送ベルト２に接着させるのが前記第１ラベル押え５である。
【００３７】
即ち、駆動側ベルト２５（２５ａ，２５ａ’）が開動する時、第１ラベル押え５は搬送ベルト２側に圧接され、駆動側ベルト２５（２５ａ，２５ａ’）が閉動されて従動側ベルト２６（２６ｂ，２６ｂ’）との間にラベルＬを挟持搬送している時、第１ラベル押え５は搬送ベルト２の搬送面から離間している。尚、ラベル搬送手段２４の駆動側ベルト２５（２５ａ，２５ａ’）の開閉動作と、第１ラベル押え５の接離動作は略同じタイミングで行われるが、動作の内容から見れば、駆動側ベルト２５（２５ａ，２５ａ’）が開動してラベルを剥離開放した後、第１ラベル押え５がラベルＬの先端側（図３（ａ）中のラベルＬの下側）を搬送ベルト２に圧接してラベルＬを支え、且つラベルプリンタＡ１への搬送を可能とする。
【００３８】
前記第１ラベル押え５の接離動作と駆動側ベルト２５（２５ａ，２５ａ’）の開閉動作を行う駆動源としては、例えばエアーシリンダを用い、そのエアーシリンダの伸縮動作によってリンク機構を作動させて連係作動させることができる。
具体的には、図３に示すように、ラベル搬送手段２４の駆動側ベルト２５（２５ａ，２５ａ’）を取り付けた支持フレーム２７と、第１ラベル押え５を連結保持した連結片３３とをコ形連結部材３４で連結し、そのコ形連結部材３４の支持フレーム２７との連結部材側に、略菱形に構成したリンク３５の屈折部３５ａを連結し、該屈折部３５ａと対向する屈折部３５ｃは固定部材に軸支し、更に屈折部３５ａと３５ｃとの間の屈折部３５ｂにエアーシリンダ（アクチュエータ）３６のロッド３６ａを連結する。
そして、ラベル搬送手段２４の駆動側ベルト２５（２５ａ，２５ａ’）が従動側ベルト２６（２６ｂ，２６ｂ’）とでラベルＬを挟持搬送する閉じ位置（初期位置）では、図３（ａ）に示すようにエアーシリンダ３６のロッド３６ａも原点位置にあり、第１ラベル押え５はラベルＬの表面から離間した位置に位置する。ラベル搬送手段２４で搬送されるラベルＬが搬送方向下流側の所定位置に搬送されると該ラベル搬送手段２４の駆動側ベルト２５（２５ａ，２５ａ’）の駆動が停止してラベルＬは待機状態となる。そしてトレイ搬送手段３７にてトレイが搬送されセンサ（図示省略）によってトレイが検出されると、エアーシリンダ３６が作動してロッド３６ａが突出される。それにより、ロッド３６ａに連結されたリンク３５は屈折部３５ｃを支点として扁平状（横長菱形）に変形し、駆動側ベルト２５（２５ａ，２５ａ’）を取り付けた支持フレーム２７と連結されたコ形連結部材３４が後方（図面では左方向）に移動される。それに伴い、第１ラベル押え５がラベルＬ側に移動してラベルＬの先端側（下部）を搬送ベルト２側に押し付け、駆動側ベルト２５（２５ａ，２５ａ’）をラベルＬの接着層２０面から引き離す方向に移動（開動）させる。尚、コ形連結部材３４を前後方向に移動させる駆動源（アクチュエータ）としては、エアーシリンダに限らず電磁ソレノイドなどでもよい。また、前記搬送されるラベルＬは搬送方向下流側の所定位置にて常に待機しており、該待機させたラベルＬの下降動作が始まるのと同期させて次のラベルＬをカットし、該カットしたラベルＬをラベル搬送手段２４で搬送方向下流側の所定位置へ搬送し待機させる。
【００３９】
また、前記第１ラベル押え５は、前記ラベル搬送手段２４によって垂下状態で搬送されるラベルＬが搬送ベルト２上に正確且つ確実に導入されるようにする為に、搬送されるラベル先端側部と対向する側縁にガイド片５’が上向きに傾斜させて連接形成されている。そして、この第１ラベル押え５は前記搬送ベルト２表面との間隔（隙間）を広狭調整し得るように上下移動可能に構成されている
【００４０】
また、搬送ベルト２の搬送方向終端側に配置される第２ラベル押え６は、図４に示すように、器枠７の下部に取り付けた取り付け枠１７を介して始端側に配置した第１ラベル押え５と同様、搬送ベルト２と対応させて２個並列配置され、取り付け枠１７にボルト・ナット１８で左右回動調節可能に取り付けられている。尚、左右方向への回動調整の範囲（角度）は円弧溝とピンからなる規制手段１９によって一定の範囲に規制されている。
この第２ラベル押え６は、貼付部に送り出す印字済みラベルＬの向き、姿勢を調整するもので、第２ラベル押え６を正対視鉛直状態から右方向に傾けると送り出されるラベルＬは左に斜行し（図４（ｂ）参照）、第２ラベル押え６を正対視鉛直状態から左方向に傾けると送り出されるラベルＬは右に斜行する（図４（ｃ）参照）。従って、送り出されるラベルＬに斜行（蛇行）現象がある場合は、前記要領により第２ラベル押え６を回動して正しい姿勢に調整する。
前記終端側の第２ラベル押え６を経由して垂直下方に送り出されるラベルＬは、前記搬送手段Ｂの第１コンベア３７の搬送方向終端側と、第２コンベア３８の搬送方向始端側とで区画形成される開口３９内に配置した撫で貼りローラ４０より手前（上流側）に挿入されるようになっている。
【００４１】
また、図２（ａ）に示すように、前記器枠７における第２ラベル押え６を取り付けた箇所の下流側（図面では下方）には、前記印字部（印字ヘッド４とプラテンローラ３）で所定事項が印字された短冊状のラベルＬの繰り出し位置より前方位置（図面では右側）に、該ラベルＬの略上半部を商品Ｗの蓋体上面に撫で貼りし且つ該商品Ｗを押えるブラシ４１が着脱交換可能に垂下取り付けられている。
【００４２】
更に、前記器枠７におけるラベル搬送手段２４による搬送ラベルＬと対向する側面には、前記ラベル搬送手段２４で垂下搬送されるラベルＬの下端側を、ラベルプリンタＡ１の搬送ベルト２上に誘導案内する案内枠４２が取り付けられている。
この案内枠４２は、ライナレスラベルテープロールＬ’から切断される短冊状のラベルＬはロール巻きによって幅方向が円弧状にカールし、しかも略上半部がラベル搬送装置Ｂの駆動側ベルト２５（２５ａ，２５ａ’）と従動側ベルト２６（２６ｂ，２６ｂ’）で挟持されて垂下搬送されるラベルＬの下半部は開放されているため、前記カールした幅方向の側端部が搬送ベルト２の幅方向側面或いは前記搬送ベルト２の掛け回し位置を規制する軸フランジ等に当たって、搬送ベルト２上に正しく載らないことがある。このようなことが起きるのを防止し、ラベルＬの下端側を確実に搬送ベルト２の上に案内するものである。図１中、４３は液晶表示板等で構成された表示部、４４はキーボードなどで構成された入力操作部で、印字情報の入力、ラベル貼付データの設定等を行なうものである。
【００４３】
次に、上記の如く構成したラベル貼付装置のラベル貼付動作について簡単に説明する。
（１）ロール支持部２１に保持したライナレスラベルテープロールＬ’からテープＬ’ａを所定長さ引き出し、テープＬ’ａの長手方向に沿ってラベル一枚分の模様が並列形成（事前印字）されたラベルをカッター２３で一枚分を切断すると同時に、その切断された短冊状のラベルＬは、図５（ｂ）に示すように、印字面と反対側に形成された接着層２０が、ラベル搬送手段２４の駆動側ベルト２５（２５ａ，２５ａ’）に仮着され、該駆動側ベルト２５（２５ａ，２５ａ’）の回動によって従動側ベルト２６（２６ｂ，２６ｂ’）との挟持部に向けて垂下したまま水平搬送される。
（２）駆動側ベルト２５（２５ａ，２５ａ’）の回動によってラベルＬは、対向配置した従動側ベルト２６（２６ｂ，２６ｂ’）とで挟持され、搬送方向終端側に向けて挟持搬送される。そして、ラベルＬは終端部で、略直角に交叉配置したラベルプリンタＡ１の搬送ベルト２に受け渡される。
（３）ラベル搬送手段２４からラベルプリンタＡ１の搬送ベルト２への受け渡しは、ラベル搬送手段２４の駆動側ベルト２５（２５ａ，２５ａ’）の回動によって従動側ベルト２６（２６ｂ，２６ｂ’）とで挟持搬送されたラベルＬの、開放された下半部が案内枠４２を通ってラベルプリンタＡ１の搬送ベルト２上に搬送されると、該搬送ベルト２の搬送方向始端側（図面では上側）に配置された第１ラベル押え５が前記ラベルＬを搬送ベルト２表面側に押し付けて、ラベルＬ裏側の接着層２０を搬送ベルト２に接着させる。そして、前記第１ラベル押え５の移動に連係してラベル搬送手段２４の駆動側ベルト２５（２５ａ，２５ａ’）が従動側ベルト２６（２６ｂ，２６ｂ’）から離間する方向に開動し、それにより、該駆動側ベルト２５（２５ａ，２５ａ’）に接着され且つ従動側ベルト２６ｂとで挟持されていたラベルＬの上半部は開放され、ラベルプリンタＡ１の搬送ベルト２による垂直下方へのラベル搬送が可能な状態となる。
【００４４】
（４）ラベルプリンタＡ１の縦二列の搬送ベルト２上に乗り移ったラベルＬは、該搬送ベルト２の回動によって垂直下方に搬送され、その搬送途中に印字ヘッド４とプラテンローラ３によってラベルＬに所定事項（例えば、製造年月日、賞味期限、値段、バーコード、製造元等）（図７（ａ）参照）が１箇所または２箇所印字される。図示例は２箇所印字の例を示す。ラベルＬを接着搬送する搬送ベルト２とプラテンローラ３は駆動モータ１１の回転を歯車列１４の組み合わせにより等速回転させ、綺麗な印字が確保される。
（５）所定事項が印字されたラベルは、搬送ベルト２の回動で垂直下方に送り出され、ラベルプリンタＡ１の略真下に配置された搬送手段Ｂの第１コンベア３７と撫で貼りローラ４０との間の開口に挿入される（図６（ａ）参照）。
（６）ラベルプリンタＡ１より送り出された印字済みのラベルＬの略下半部が前記開口３９に挿入された時点で、第１コンベア３７で搬送された商品Ｗの搬送方向前側の周壁が前記ラベルＬに当接し、更に第１コンベア３７の回動で該商品Ｗが前方に搬送されるために、前記ラベルＬは商品Ｗの周壁より上側の部分が商品Ｗの蓋体部分に、周壁より下方に垂れた部分は商品Ｗの底部に、略コの字に折り曲げられて貼着される（図６（ｂ）参照）。前記ラベルＬの上半部はブラシ４１で商品Ｗの蓋体表面に撫で貼りされ、ラベルＬの下半部は撫で貼りローラ４０で商品Ｗの周壁から底部に亘って撫で貼りされる。
（７）ラベルＬがコの字状に貼付された商品Ｗは搬送手段Ｂの第２コンベア３８の回動で貼付部から搬送排出される（図６（ｃ）参照）。ラベルＬの貼付状態は図７（ｂ）に示す通りである。
上記構成により、縦長の短冊状のラベルでも、該ラベルへの印字はラベルを縦長方向に搬送して印字するため、印字ヘッドの幅は該ラベルの横幅（短手方向）でよく、非常に経済的であり、且つ効率的な印字を行なうことができるという効果を奏する。尚、一般的なラベルプリンタであれば、前記ライナレスラベルテープロールを水平に保持し、その水平に保持したライナレスラベルテープロールからラベルテープを引出して印字を行なう場合、ラベルの長手方向の長さの印字ヘッドが必要となる。
【００４５】
本発明は図示した実施の形態に限定されず、本発明の要旨を変更しない範囲内で適宜変更可能である。
（１）実施の形態では、ラベルプリンタを縦置きし、印字されたラベルが垂直下方に排出される例を示したがこれに限定されず、ラベルプリンタを横置きし、印字されたラベルが水平状態で排出される構成でもよいものである。
（２）実施の形態では、ラベルプリンタへのラベルの供給を、ラベルの搬送方向に対し略直角に交叉する横方向から供給する形態を示したがこれに限定されず、ラベルプリンタにおけるラベル搬送方向と同方向から直線的に供給する構成としてもよい。
（３）実施の形態では、ラベルを印字部に向けて搬送する搬送ベルトとして細幅ベルトを２本平行に配置した例を示したがこれに限らず、ラベルを接着搬送する搬送ベルトは、広幅ベルトを１本、或いは細幅ベルトを３本以上設けるなど何れでもよい。
（４）実施の形態では、プラテンローラより上流側と下流側の搬送ベルトは１本の無端状ベルトの掛け回しで構成した例を示したがこれに限らず、プラテンローラを境に上流側と下流側の搬送ベルトを夫々独立した無端状ベルトで構成してもよい。但し、その場合は上流側の搬送ベルトと、下流側の搬送ベルトは同期させ、回転速度を同じにする必要がある。
【符号の説明】
【００４６】
Ａ１…ラベルプリンタ                  ２…搬送ベルト
３…プラテンローラ                  ４…印字ヘッド
５…第１ラベル押え                  ６…第２ラベル押え
８…凹部                          ９ｃ…案内ローラ
１０…駆動軸                        １１…駆動モータ
１４…等速歯車列（動力伝達機構）    １５…剥離部材
Ｌ…ラベル（ライナレスラベル）
【図１】
0005817121.tif 000002
【図２】
0005817121.tif 000003
【図３】
0005817121.tif 000004
【図４】
0005817121.tif 000005
【図５】
0005817121.tif 000006
【図６】
0005817121.tif 000007
【図７】
0005817121.tif 000008